(57)【要約】      （修正有）【課題】１サブピクセル当たりのトランジスタ数の大幅な増加を抑え、該トランジスタ特性ばらつきに起因する画質劣化を低減する表示駆動回路及びそれを用いたディスプレイ装置の提供。【解決手段】電流値に応じて発光強度が変化するサブピクセル群を構成する複数発光素子と、ドレイン、ソース、及びゲート同士がそれぞれ共通接続され、サブピクセル群を構成する複数発光素子の共通接続した一端と正電源間にドレインとソースを介して接続した複数駆動用トランジスタと、該トランジスタのゲートとソース間に形成した保持容量と、ソース同士を共通接続し、サブピクセル群の複数発光素子それぞれの他端と負電源間にドレインとソースを介して接続し、複数サブピクセル選択ラインにゲートを接続した複数サブピクセル選択用トランジスタと、該トランジスタの共通接続したゲートとデータライン間に走査ラインにゲートを接続した走査ライン選択用トランジスタとを有する。【選択図】図６
2009031656.tif 000002
【特許請求の範囲】
【請求項１】
電流値に応じて発光強度が変化し、サブピクセル群を構成する複数の発光素子と、
ドレイン同士、ソース同士、及びゲート同士がそれぞれ共通接続されるとともに、前記サブピクセル群を構成する複数の発光素子の共通接続された一端と正電源の間に前記ドレインとソースを介して接続された複数の駆動用トランジスタと、
前記複数の駆動用トランジスタのゲートとソース間に形成された保持容量と、
ソース同士を共通接続されるとともに、前記サブピクセル群の複数の発光素子それぞれの他端と負電源の間にそれぞれのドレインとソースを介して接続され、複数のサブピクセル選択ラインにそれぞれのゲートを接続された複数のサブピクセル選択用トランジスタと、
前記サブピクセル群の複数の駆動用トランジスタの共通接続されたゲートとデータラインの間にドレインとソースを介して接続され、走査ラインにゲートを接続された走査ライン選択用トランジスタと、
を有することを特徴とする表示駆動回路。
【請求項２】
請求項１記載の表示駆動回路において、
１フィールドを複数のサブフィールドに分割し、
各サブフィールドで走査ライン選択用トランジスタをオンさせて前記サブピクセル群の複数の駆動用トランジスタの保持容量にデータを書き込み、
前記サブピクセル群の複数のサブピクセル選択用トランジスタを、前記サブフィールド毎に順次オンさせ、前記サブピクセル群の複数の駆動用トランジスタからオンしたサブピクセル選択用トランジスタに接続されている発光素子に前記保持容量のデータに応じた電流を流しサブフィールド毎に順次発光させて表示を行う
ことを特徴とする表示駆動回路。
【請求項３】
請求項２記載の表示駆動回路において、
前記各サブフィールドを書き込み期間と表示期間に分割し、前記表示期間にのみ前記正電源を供給して発光素子を発光させる
ことを特徴とする表示駆動回路。
【請求項４】
請求項１乃至３のいずれか１項記載の表示駆動回路において、
前記サブピクセル群を構成する複数の発光素子は、それぞれ発光色が異なる
ことを特徴とする表示駆動回路。
【請求項５】
請求項１乃至４のいずれか１項記載の表示駆動回路を用いて構成した
ことを特徴とするディスプレイ装置。
【発明の詳細な説明】
【技術分野】
【０００１】
本発明は、表示駆動回路及びそれを用いたディスプレイ装置に関し、特に、電流値に応じて発光強度が変化する発光素子を駆動する表示駆動回路及びそれを用いたディスプレイ装置に関する。
【背景技術】
【０００２】
近年、ＯＬＥＤ（Ｏｒｇａｎｉｃ  Ｌｉｇｈｔ  Ｅｍｉｔｔｉｎｇ  Ｄｉｏｄｅ：有機発光ダイオード）、すなわち、有機ＥＬ（ＥＩｃｃｔｒｏ  Ｌｕｍｉｎｅｓｃｅｎｃｅ）のような流れる直流電流値に応じた明るさで発光する２端子の表示素子の開発が進んでいる。
【０００３】
ＯＬＥＤで高輝度、高コントラストな表示を行うにはＴＦＴ（Ｔｈｉｎ  Ｆｉｌｍ  Ｔｒａｎｓｉｓｔｏｒ：薄膜トランジスタ）によりアクティブ駆動を行うことが必要である。ＯＬＥＤは電流値に応じて発光強度が変化する発光素子であり、マトリクス上に配置したピクセル毎のＯＬＥＤにＴＦＴを用いて電流を流して発光させることにより画像を表示する装置を構成することができる。
【０００４】
図１は、ＯＬＥＤを用いた表示装置の基本構成図を示す。同図中、データライン駆動回路１０にて駆動されるデータラインＤ１〜Ｄｍと、走査ライン駆動回路１１にて駆動されるデータラインＳ１〜Ｓｎとで構成されるマトリクス上にｍ×ｎ個のピクセルが配置される。
【０００５】
各ピクセル１２には、駆動用ＴＦＴ１３と、ピクセル選択用ＴＦＴ１４が設けられている。ピクセル選択用ＴＦＴ１４は発光させるピクセルを選択するためのスイッチの役割を担うトランジスタである。駆動用ＴＦＴ１３はピクセルを発光させるためにＯＬＥＤ１５に電流を流す役割を担うトランジスタである。
【０００６】
一般にピクセル内のＴＦＴは、移動度や閾値などの特性にばらつきがあるため、表示装置内のピクセルでは輝度にばらつきを生じて、表示画像の画質劣化につながる。この課題を改善するため、種々のばらつき補正回路が提案されている。
【０００７】
例えば図２に示す電圧プログラム型駆動回路がある（例えば非特許文献１参照）。ここでは、データ、セレクトの他に、制御信号としてＡＺ，ＡＺＢを設け、図３に示すタイミングで駆動する。なお、トランジスタＤｒ−Ｔｒ，Ｔｒ１，Ｔｒ２は全てｐチャネルＦＥＴ（電界効果トランジスタ）である。
【０００８】
制御信号ＡＺがローレベルからハイレベルに変化する際に閾値電圧に対応した電圧が保持容量Ｃ２に充電され、それにデータ電圧を上乗せして駆動用トランジスタＤｒ−Ｔｒを駆動することにより、閾値電圧のばらつきを補正する。
【０００９】
また、図４に示す電流プログラム型駆動回路がある（例えば非特許文献２参照）。ここでは、データ、セレクトの他に、制御信号としてＶＧＰを設け、図５に示すタイミングで駆動する。なお、トランジスタＤｒ−Ｔｒ，Ｔｒ４〜Ｔｒ６は全てｐチャネルＦＥＴである。
【００１０】
セレクトがローレベルの選択期間中にデータ信号線からトランジスタＴｒ５を通してＯＬＥＤに流すべき駆動電流を直接流し込み、その電流に対応する駆動用トランジスタＤｒ−Ｔｒのゲート電圧を保持容量Ｃｓに書き込んでばらつきを補正する。
【非特許文献１】Ｒ．Ｍ．Ａ．Ｄａｗｓｏｎ，ｅｔ  ａｌ．，“Ｄｅｓｉｇｎ  ｏｆ  ａｎ  Ｉｍｐｒｏｖｅｄ  Ｐｉｘｅｌ  ｆｏｒ  ａ  Ｐｏｌｙｓｉｌｉｃｏｎ  Ａｃｔｉｖｅ−Ｍａｔｒｉｘ  Ｏｒｇａｎｉｃ  ＬＥＤ  Ｄｉｓｐｌａｙ”，ＳＩＤ’９８  Ｄｉｇｅｓｔ，４．２，ｐｐ．１１−１４（１９９８）．
【非特許文献２】Ｒ．Ｍ．Ａ．Ｄａｗｓｏｎ，ｅｔ  ａｌ．，“Ｔｈｅ  Ｉｍｐａｃｔ  ｏｆ  ｔｈｅ  Ｔｒａｎｓｉｅｎｔ  Ｒｅｓｐｏｎｓｅ  ｏｆ  Ｏｒｇａｎｉｃ  Ｌｉｇｈｔ  Ｅｍｉｔｔｉｎｇ  Ｄｉｏｄｅｓ  ｏｎ  ｔｈｅ  Ｄｅｓｉｇｎ  ｏｆ  Ａｃｔｉｖｅ  Ｍａｔｒｉｘ  ＯＬＥＤ  Ｄｉｓｐｌａｙｓ，”ＩＥＤＭ９８，３２．６，ｐｐ．８７５−８７８（１９９８）．
【発明の開示】
【発明が解決しようとする課題】
【００１１】
上記の電圧プログラム型駆動回路や電流プログラム型駆動回路では、共に１つのピクセル内に４つのトランジスタを必要とし、１ピクセル当たりのトランジスタ数が多くなるという問題がある。
【００１２】
その他にも多くのばらつき改善駆動回路の提案がなされているが、いずれも補正のために１ピクセル当たりのトランジスタ数が多くなり、ディスプレイ製作上の歩留まりの低下を招いていた。
【００１３】
本発明は、上記の点に鑑みなされたもので、１サブピクセル当たりのトランジスタ数の大幅な増加を抑え、駆動トランジスタの特性ばらつきに起因する表示装置の画質劣化を低減できる表示駆動回路及びそれを用いたディスプレイ装置を提供することを目的とする。
【課題を解決するための手段】
【００１４】
本発明の一実施態様による表示駆動回路は、
電流値に応じて発光強度が変化し、サブピクセル群を構成する複数の発光素子と、
ドレイン同士、ソース同士、及びゲート同士がそれぞれ共通接続されるとともに、前記サブピクセル群を構成する複数の発光素子の共通接続された一端と正電源の間に前記ドレインとソースを介して接続された複数の駆動用トランジスタと、
前記複数の駆動用トランジスタのゲートとソース間に形成された保持容量と、
ソース同士を共通接続されるとともに、前記サブピクセル群の複数の発光素子それぞれの他端と負電源の間にそれぞれのドレインとソースを介して接続され、複数のサブピクセル選択ラインにそれぞれのゲートを接続された複数のサブピクセル選択用トランジスタと、
前記サブピクセル群の複数の駆動用トランジスタの共通接続されたゲートとデータラインの間にドレインとソースを介して接続され、走査ラインにゲートを接続された走査ライン選択用トランジスタとを有することにより、１サブピクセル当たりのトランジスタ数の大幅な増加を抑え、駆動トランジスタの特性ばらつきに起因する表示装置の画質劣化を低減できる。
【００１５】
前記表示駆動回路において、
１フィールドを複数のサブフィールドに分割し、
各サブフィールドで走査ライン選択用トランジスタをオンさせて前記サブピクセル群の複数の駆動用トランジスタの保持容量にデータを書き込み、
前記サブピクセル群の複数のサブピクセル選択用トランジスタを、前記サブフィールド毎に順次オンさせ、前記サブピクセル群の複数の駆動用トランジスタからオンしたサブピクセル選択用トランジスタに接続されている発光素子に前記保持容量のデータに応じた電流を流しサブフィールド毎に順次発光させて表示を行う構成とすることができる。
【００１６】
前記表示駆動回路において、
前記各サブフィールドを書き込み期間と表示期間に分割し、前記表示期間にのみ前記正電源を供給して発光素子を発光させる構成とすることができる。
【００１７】
前記表示駆動回路において、
前記サブピクセル群を構成する複数の発光素子は、それぞれ発光色が異なる構成とすることができる。
【００１８】
また、本発明の一実施態様によるディスプレイ装置は、
請求項１乃至４のいずれか１項記載の表示駆動回路を用いて構成することができる。
【発明の効果】
【００１９】
本発明によれば、１ピクセル当たりのトランジスタ数の大幅な増加を抑え、駆動トランジスタの特性ばらつきに起因する表示装置の画質劣化を低減することができる。
【発明を実施するための最良の形態】
【００２０】
以下、図面を参照して本発明の実施例について説明する。
【００２１】
＜第１実施形態＞
図６は、本発明の表示駆動回路の一実施形態の回路構成図を示す。同図は１つのサブピクセル群を示しており、１つのサブピクセル群を３サブピクセルで構成した回路を示している。なお、本発明におけるサブピクセルは、図１に示す従来装置のピクセルに対応する。
【００２２】
同図中、３サブピクセル分のＯＬＥＤ２１，２２，２３のカソードはそれぞれサブピクセル選択用トランジスタ（Ｃ−ＳＷ−Ｔｒ）２４，２５，２６のドレインに接続され、サブピクセル選択用トランジスタ２４，２５，２６のソースは共通電極（図では負電源であるＧＮＤ）に接続されている。
【００２３】
サブピクセル選択用トランジスタ２４，２５，２６はｎチャネルＦＥＴのＴＦＴであり、サブピクセル選択用トランジスタ２４，２５，２６のゲートはそれぞれサブピクセル選択ライン（ＡＳｉ，ＢＳｉ，ＣＳｉ）２７，２８，２９に接続されている。
【００２４】
３サブピクセル分のＯＬＥＤ２１，２２，２３のアノードは共通接続されて、駆動用トランジスタ（Ｄｒ−Ｔｒ）３１，３２，３３の共通接続されたドレインに接続されている。駆動用トランジスタ３１，３２，３３はｐチャネルＦＥＴのＴＦＴであり、駆動用トランジスタ３１，３２，３３のゲート同士、ソース同士、ドレイン同士はそれぞれ共通接続されている。
【００２５】
駆動用トランジスタ３１，３２，３３は、ソースを正電源である電源ライン（Ｖｄｄ）３４に接続され、ゲートを走査ライン選択用トランジスタ（ＳＷ−Ｔｒ）３５のドレインに接続されている。また、駆動用トランジスタ３１，３２，３３のゲートとソースの間には保持容量（Ｃｓ）３６が形成されている。
【００２６】
走査ライン選択用トランジスタ３５はｐチャネルＦＥＴのＴＦＴであり、走査ライン選択用トランジスタ３５はゲートを走査ライン（Ｓｊ）３７に接続され、ソースをデータライン（Ｄｉ）３８に接続されている。
【００２７】
この構成では、３つのサブピクセルに対してトランジスタを７個用いており、１つのサブピクセル当たりのトランジスタ数は７／３＝２．３個となる。
【００２８】
図７は、図６の各部の信号波形図を示す。図中、横軸は時間を表し、縦軸は電圧値を表している。走査ライン（Ｓｊ）に供給される図７（Ａ）に示す信号のローレベルにより選択されたサブピクセル群では、走査ライン選択用トランジスタ３５がオンとなり、図７（Ｂ）に示すデータライン（Ｄｉ）の電圧が保持容量３６に書き込まれる。
【００２９】
このサブピクセル群内でどのサブピクセルを発光させるかは、図７（Ｃ），（Ｄ），（Ｅ）に示すサブピクセル選択ライン（ＡＳｊ，ＢＳｊ，ＣＳｊ）の信号をハイレベルとしてサブピクセル選択用トランジスタ２４，２５，２６のいずれか１つをオンして選択する。
【００３０】
保持容量３６に書き込まれた電圧値により駆動用トランジスタ３１，３２，３３のゲート電圧が設定され、このゲート電圧に応じた電流が駆動用トランジスタ３１，３２，３３からサブピクセル選択用トランジスタ２４，２５，２６のうちオンとなって選択されたＯＬＥＤ２１，２２，２３のいずれかに１つに供給される。これにより、サブピクセル群内で１つのサブピクセルが発光する。
【００３１】
この際、サブピクセル選択用トランジスタ２４，２５，２６のうち選択するトランジスタのゲートには十分大きな電圧を印加しておき、サブピクセル選択用トランジスタ２４，２５，２６が非飽和領域で動作するように設定する。
【００３２】
この場合には、選択された１つのＯＬＥＤに流れる電流は３つの駆動用トランジスタ３１，３２，３３から供給される電流の和となるため、駆動用トランジスタの特性ばらつきに起因する輝度のばらつきを低減することができる。
【００３３】
ここで、ｋ個のトランジスタそれぞれから供給される電流Ｉにはばらつきがあるとして、１個のトランジスタから供給される電流Ｉの平均値Ｅ（Ｉ）をａ、標準偏差Ｓ（Ｉ）をσとする。トランジスタ１個の場合のばらつき（Ｄ１）は、次のようになる。
【００３４】
Ｄ１＝Ｓ（Ｉ）／Ｅ（Ｉ）＝σ／ａ
ｋ個のトランジスタが供給するそれぞれの電流値（Ｉ１，Ｉ２，…，Ｉｋ）は他のトランジスタの特性に影響を受けず独立であるので、その和Ｉｓ（＝Ｉ１＋Ｉ２＋…＋Ｉｋ）の平均値Ｅ（Ｉｓ）は、次式で表される。
【００３５】
Ｅ（Ｉｓ）＝Ｅ（Ｉ１）＋Ｅ（Ｉ２）＋…＋Ｅ（Ｉｋ）
また、それぞれのトランジスタから供給される電流の平均値はａであるので次式が得られる。
【００３６】
Ｅ（Ｉｓ）＝ａ＋ａ＋…ａ＝ｋ×ａ
また、ｋ個のトランジスタから供給される電流値の和の標準偏差Ｓ（Ｉｓ）は、次式で表される。
【００３７】
Ｓ（Ｉｓ）＝［Ｓ（Ｉ１）２＋Ｓ（Ｉ２）２＋…＋Ｓ（Ｉｋ）２］１／２
それぞれのトランジスタから供給される電流の標準偏差はσなので次式が得られる。
【００３８】
Ｓ（Ｉｓ）＝［σ２＋σ２＋…＋σ２］１／２
＝［ｋ×σ２］１／２
＝√ｋ×σ
トランジスタｋ個から供給される電流を合わせた場合のばらつき（Ｄｓ）は、次式で表される。
【００３９】
Ｄｓ＝Ｓ（Ｉｓ）／Ｅ（Ｉｓ）
＝√ｋ×σ／（ｋ×ａ）
＝σ／（√ｋ×ａ）
つまり、トランジスタを１個からｋ個にすることにより、ばらつきがＤ１からＤｓとなったので、ばらつきはＤｓ／Ｄ１＝１／√ｋ倍となり、駆動用トランジスタのばらつきを大幅に低減することができる。
【００４０】
図８は、図６のサブピクセル群を用いたマトリクス型ディスプレイ装置の一実施形態の構成図を示す。同図中、データライン駆動回路４０にて駆動されるデータラインＤ１〜Ｄｍと、走査ライン駆動回路４１にて駆動される走査ラインＳ１〜Ｓｎとで構成されるマトリクス上にｍ×ｎ個のサブピクセル群が配置されている。
【００４１】
また、サブピクセル選択ライン駆動回路４２にて駆動されるサブピクセル選択ラインＡＳ１，ＢＳ１，ＣＳ１〜ＡＳｎ，ＢＳｎ，ＣＳｎが各行のサブピクセル群まで延在している。
【００４２】
図９は、第１実施形態における図８の各部の信号波形図を示す。同図中、図９（Ａ）に示すように、サブピクセル群に対して１フィールドを３つの領域つまりサブフィールド（Ａ，Ｂ，Ｃ）に分割し、各サブフィールドではそれぞれ１つのサブピクセルのＯＬＥＤが発光するように、例えば走査ラインＳ１，Ｓ２をローレベルで選択する図９（Ａ），（Ｂ）に示す信号を作成し、これにより、図９（Ｃ）に示すデータライン（Ｄｉ）の電圧を保持容量３６に書き込む。
【００４３】
図９（Ａ）に示す走査ライン（Ｓ１）の１番目のサブフィールドではサブピクセル選択ライン（ＡＳ１）のサブピクセル選択用トランジスタ２４をハイレベルで選択する図９（Ｄ）に示す信号を生成し、２番目のサブフィールドではサブピクセル選択ライン（ＢＳ１）のサブピクセル選択用トランジスタ２５をハイレベルで選択する図９（Ｆ）に示す信号を生成し、３番目のサブフィールドではサブピクセル選択ライン（ＣＳ１）のサブピクセル選択用トランジスタ２６をハイレベルで選択する図９（Ｈ）に示す信号を生成する。
【００４４】
また、各走査ラインの信号は、表示パネルの上から下方向へ順次書き込みが行われるように、図９（Ａ），（Ｂ）に示すようローレベル期間が重ならないようずらしている。
【００４５】
図９（Ｂ）に示す走査ライン（Ｓ２）の１番目のサブフィールドではサブピクセル選択ライン（ＡＳ２）のサブピクセル選択用トランジスタ２４をハイレベルで選択する図９（Ｅ）に示す信号を生成し、２番目のサブフィールドではサブピクセル選択ライン（ＢＳ２）のサブピクセル選択用トランジスタ２５をハイレベルで選択する図９（Ｇ）に示す信号を生成し、３番目のサブフィールドではサブピクセル選択ライン（ＣＳ２）のサブピクセル選択用トランジスタ２６をハイレベルで選択する図９（Ｉ）に示す信号を生成する。
【００４６】
図１０は、第１実施形態における表示パネル全体での発光の様子を説明するための図である。横軸は時間を表し、縦軸は表示パネルの縦方向のライン位置を表しており、黒丸はサブフィールドＡの書き込み、黒三角はサブフィールドＢの書き込み、黒四角はサブフィールドＣの書き込みをそれぞれ示し、白丸はサブフィールドＡの表示、白三角はサブフィールドＢの表示、白四角はサブフィールドＣの表示をそれぞれ示している。
【００４７】
画像データの書き込みは表示パネルの上から下のラインに向けて順次行われ、走査ラインＳ１〜Ｓｎそれぞれのローレベル期間に行われる。このローレベルのパルスのパルス幅（Ｔ）は、１フィールド期間を、走査ライン数ｎと１フィールド内のサブフィールド数で割った値となり、本実施形態では１６．６７／（３・ｎ）［ｍｓｅｃ］となる。このローレベルのパルスは走査ラインＳ１〜Ｓｎで順次シフトしていくため、それにしたがって書き込みのタイミングもシフトする。
【００４８】
書き込み後、次の書き込みまで発光の状態が維持される。これを１フィールドで３回（３サブフィールド分）行う。このような駆動波形を発生させることにより、１フィールド内で全てのサブピルセルを発光させることができ、３つの駆動トランジスタ３１，３２，３３を並列に使用することによって、輝度ばらつきの改善された画像を提供することができる。
【００４９】
＜第２実施形態＞
マトリクス型ディスプレイ装置内の回路構成は、図６から図８に示す第１実施形態と同様であるが、第２実施形態ではサブピクセル選択ラインの信号（ＡＳ，ＢＳ，ＣＳ）が第１実施形態と異なっている。サブピクセル選択ラインＡＳ１〜ＡＳｎのサブピクセルはサブフィールド（Ａ）の表示期間に同時に発光し、同様にサブピクセル選択ラインＢＳ１〜ＢＳｎのサブピクセルはサブフィールド（Ｂ）の表示期間に同時に発光し、サブピクセル選択ラインＣＳ１〜ＣＳｎのサブピクセルはサブフィールド（Ｃ）の表示期間に同時に発光する。
【００５０】
図１１は、第２実施形態における図８の各部の信号波形図を示す。同図中、図１１（Ａ）に示すように、サブピクセル群に対して１フィールドを３つの領域つまりサブフィールド（Ａ，Ｂ，Ｃ）に分割し、各サブフィールドではそれぞれサブピクセル内の１つのＯＬＥＤが発光するように、図１１（Ａ），（Ｂ）に示す走査ラインＳ１，Ｓｎの信号を作成し、これにより、図１１（Ｃ）に示すデータライン（Ｄｉ）の電圧を保持容量３６に書き込む。
【００５１】
１番目のサブフィールドでは全てのサブピクセル選択ライン（ＡＳ＝ＡＳ１〜ＡＳｎ）のサブピクセル選択用トランジスタ２４をハイレベルで選択する図１１（Ｄ）に示す信号を生成し、２番目のサブフィールドでは全てのサブピクセル選択ライン（ＢＳ＝ＢＳ１〜ＢＳｎ）のサブピクセル選択用トランジスタ２５をハイレベルで選択する図１１（Ｅ）に示す信号を生成し、３番目のサブフィールドでは全てのサブピクセル選択ライン（ＣＳ＝ＣＳ１〜ＣＳｎ）のサブピクセル選択用トランジスタ２６をハイレベルで選択する図１１（Ｆ）に示す信号を生成する。
【００５２】
更に、各サブフィールドは、書き込み期間と表示期間に分割する。書き込み期間では、走査ラインで選択された走査ライン選択用トランジスタを表示パネルの上から下のラインに向けて順次画像データの書き込みを行う。この間、電源ライン３４には図１１（Ｇ）に示すように電圧Ｖｄｄを印加しないで、全てのＯＬＥＤが発光しないようにしておく。ところで、第１実施形態においては電源ライン３４に常時電圧Ｖｄｄを印加している。
【００５３】
書き込みが終了すると図１１（Ｇ）に示すように電圧Ｖｄｄを印加し、書き込みを行ったサブフィールドを同時に発光させる。図１２に示すように、上記動作をサブフィールドＡ，Ｂ，Ｃで３回繰り返すことにより、１フィールド内で全てのサブピクセルを発光させる。
【００５４】
図１２は、第２実施形態における表示パネル全体での発光の様子を説明するための図である。横軸は時間を表し、縦軸は表示パネルの縦方向のライン位置を表しており、黒丸はサブフィールドＡの書き込み、黒三角はサブフィールドＢの書き込み、黒四角はサブフィールドＣの書き込みをそれぞれ示し、白丸はサブフィールドＡの表示、白三角はサブフィールドＢの表示、白四角はサブフィールドＣの表示をそれぞれ示している。なお、この第２実施形態では書き込み期間と表示期間とに分割しているため、画像データ書き込みのため各走査ラインに供給するローレベルのパルスのパルス幅（Ｔ）は第１実施形態におけるパルス幅（Ｔ）より短くなる。
【００５５】
この実施形態でも、３つの駆動トランジスタ３１，３２，３３を並列に使用することによって、輝度ばらつきの改善された画像を提供することができる。
【００５６】
＜第３実施形態＞
第１，第２実施形態において、ＯＬＥＤ２１，２２，２３をそれぞれ発光色の異なるＯＬＥＤとする。例えば、ＯＬＥＤ２１を赤色発光の有機発光ダイオードとし、ＯＬＥＤ２２を緑色発光の有機発光ダイオードとし、ＯＬＥＤ２３を青色発光の有機発光ダイオードとする。これによって、１つのサブピクセル群によって１つのピクセルを構成する。
【００５７】
これを図９及び図１０又は図１１及び図１２に示す信号で駆動することによって、１フィールド内で発光色が順次変化してカラー表示を行う、いわゆるフィールド色順次表示方式を実現することができる。
【００５８】
これにより、複数の駆動トランジスタ３１，３２，３３を並列に使用することによって、輝度ばらつきの改善されたカラー画像を提供することができる。
【００５９】
なお、第１〜第３実施形態において、各サブピクセル群に含まれる駆動用トランジスタ数は３個としているが、駆動用トランジスタ数は２又は４以上であっても良く、駆動用トランジスタを複数並列に備えることにより輝度ばらつきを改善することができる。
【００６０】
１つのサブピクセル群に含まれるサブピクセル選択用トランジスタ数をＮ、これに接続される駆動用トランジスタの数をｋとすると、１つのサブピクセル当たりのトランジスタ数Ｔは以下のようになる。
【００６１】
Ｔ＝（１＋ｋ＋Ｎ）／Ｎ
＝１＋（１＋ｋ）／Ｎ
このため、ｋ≦３Ｎ−１であれば、１つのサブピクセル当たりのトランジスタ数は４個以下になり、ｋ≦２Ｎ−１であれば、１つのサブピクセル当たりのトランジスタ数は３個以下として、輝度ばらつきを抑えることが可能となる。
【図面の簡単な説明】
【００６２】
【図１】ＯＬＥＤを用いた表示装置の基本構成図である。
【図２】電圧プログラム型駆動回路の一例の回路構成図である。
【図３】電圧プログラム型駆動回路の一例の信号波形図である。
【図４】電流プログラム型駆動回路の一例の回路構成図である。
【図５】電流プログラム型駆動回路の一例の信号波形図である。
【図６】本発明の表示駆動回路の一実施形態の回路構成図である。
【図７】図６の各部の信号波形図である。
【図８】図６のサブピクセル群を用いたマトリクス型ディスプレイ装置の一実施形態の構成図である。
【図９】第１実施形態における図８の各部の信号波形図である。
【図１０】第１実施形態における表示パネル全体での発光の様子を説明するための図である。
【図１１】第２実施形態における図８の各部の信号波形図である。
【図１２】第２実施形態における表示パネル全体での発光の様子を説明するための図である。
【符号の説明】
【００６３】
２１，２２，２３  ＯＬＥＤ
２４，２５，２６  サブピクセル選択用トランジスタ
２７，２８，２９  サブピクセル選択ライン
３１，３２，３３  駆動用トランジスタ
３４  電源ライン
３５  走査ライン選択用トランジスタ
３６  保持容量
３７  走査ライン
３８  データライン
４０  データライン駆動回路
４１  走査ライン駆動回路
４２  サブピクセル選択ライン駆動回路
【図１】
2009031656.tif 000003
【図２】
2009031656.tif 000004
【図３】
2009031656.tif 000005
【図４】
2009031656.tif 000006
【図５】
2009031656.tif 000007
【図６】
2009031656.tif 000008
【図７】
2009031656.tif 000009
【図８】
2009031656.tif 000010
【図９】
2009031656.tif 000011
【図１０】
2009031656.tif 000012
【図１１】
2009031656.tif 000013
【図１２】
2009031656.tif 000014